(57)【特許請求の範囲】
【請求項１】
上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及び最上位のスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介して最上位のスラット支持部材の一端を押し下げ又は引き上げることで、最上位のスラット並びに当該スラットに第一及び第二のリンク列を介して連なるスラットを傾動させるようになっており、第一から第四の連結部の夫々は、第二の連結部から第三の連結部までの長さが、第一の連結部から第四の連結部までの長さよりも長くなるように、配されているブラインド装置。
【請求項２】
上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及び最上位のスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介して最上位のスラット支持部材の一端を押し下げ又は引き上げることで、最上位のスラット並びに当該スラットに第一及び第二のリンク列を介して連なるスラットを傾動させるようになっており、連結部材は、第三の連結部が長手方向の一端部に配されており、第四の連結部が長手方向の他端部に配されており、第三の連結部が旋回移動することによって生じる下方向への押し下げ力又は上方向への引き上げ力を第四の連結部を介して最上位のスラット支持部材の一端に与えるようになっている板状長尺体からなっているブラインド装置。
【請求項３】
上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及び最上位のスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介して最上位のスラット支持部材の一端を押し下げ又は引き上げることで、最上位のスラット並びに当該スラットに第一及び第二のリンク列を介して連なるスラットを傾動させるようになっており、回動機構は、チルト部材に設けられているカムと、このカムを案内するカム案内面とを具備しており、カム案内面は、上下移動部材の上方向の移動と共に、チルト部材を一の方向に回動させるように、且つ、上下移動部材の下方向の移動と共に、チルト部材を他の一の方向に回動させるように、カムを案内するようになっており、カム案内面は、上下方向に対して交差する交差方向に伸びた交差面と、カムの移動方向を上方向から交差方向に又は交差方向から下方向に移行させながら、カムを案内するＬ状又はＶ状の移行案内面とを具備しており、移行案内面は、曲面又は平面からなるブラインド装置。
【請求項４】
上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及び最上位のスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介して最上位のスラット支持部材の一端を押し下げ又は引き上げることで、最上位のスラット並びに当該スラットに第一及び第二のリンク列を介して連なるスラットを傾動させるようになっており、回動機構は、チルト部材に設けられているカムと、このカムを案内するカム案内面とを具備しており、カム案内面は、上下移動部材の上方向の移動と共に、チルト部材を一の方向に回動させるように、且つ、上下移動部材の下方向の移動と共に、チルト部材を他の一の方向に回動させるように、カムを案内するようになっており、チルト部材は、一端で第三の連結部に連結している長尺体と、この長尺体の長手方向に対して交差する方向に伸びており、一端部に回動機構のカムを設け且つ他端部に第二の連結部を配しているカム設置体とを具備しており、長尺体とカム設置体とは、互いに一体的に結合しているブラインド装置。
【請求項５】
カム設置体は、その一端部及び他端部の間の中間の部位で、長尺体の他端側と結合している請求項４に記載のブラインド装置。
【請求項６】
回動機構は、チルト部材に設けられているカムと、このカムを案内するカム案内面とを具備しており、カム案内面は、上下移動部材の上方向の移動と共に、チルト部材を一の方向に回動させるように、且つ、上下移動部材の下方向の移動と共に、チルト部材を他の一の方向に回動させるように、カムを案内するようになっている請求項１又は２に記載のブラインド装置。
【請求項７】
カム案内面は、上下方向に対して交差する交差方向に伸びた交差面と、カムの移動方向を上方向から交差方向に又は交差方向から下方向に移行させながら、カムを案内するＬ状又はＶ状の移行案内面とを具備している請求項４から６のいずれか一項に記載のブラインド装置。
【請求項８】
カムは、チルト部材に回転自在に設けられた回転体からなり、この回転体はカム案内面を走行するようになっている請求項３から７のいずれか一項に記載のブラインド装置。
【請求項９】
カム案内面は、上下方向案内面に連続して配されており、カムは、上下方向案内面によっても案内されるようになっており、当該カムが上下方向案内面に案内される際に、チルト部材の上端に位置するようにチルト部材に設けられている請求項３から８のいずれか一項に記載のブラインド装置。
【請求項１０】
チルト機構は、第二の連結部を中心とした一の方向の回動力をチルト部材に弾性的に与えるべく、上下移動部材及び最上位のスラット支持部材の一端に連結している弾性部材を具備している請求項１から９のいずれか一項に記載のブラインド装置。
【請求項１１】
弾性部材は、チルト部材が一の方向に回動することによって短縮されるように、一端で上下移動部材に連結し且つ他端で最上位のスラット支持部材の一端に連結しているコイルばねからなる請求項１０に記載のブラインド装置。
【請求項１２】
上下移動部材は、板状の本体と、この板状の本体に設けられており、上下方向で並んで配された二個の突起とを具備しており、二個の突起は、上下方向案内面によって規定されてなる上下方向に伸びたスリットに挿通されている請求項１から１１のいずれか一項に記載のブラインド装置。
【請求項１３】
第一の連結部は、最上位のスラット支持部材の一端及び他端の間の中間の部位に連結している請求項１から１２のいずれか一項に記載のブラインド装置。
【請求項１４】
上下移動機構は、回転軸と、この回転軸に固定されたプーリと、このプーリに巻き付けられた可撓性のベルトと、このベルトの巻き取り又は繰り出しを行うべく、プーリを回転させる回転駆動装置とを具備しており、ベルトの繰り出し端は、上下移動部材に固着されている請求項１から１３のいずれか一項に記載のブラインド装置。
【請求項１５】
回転駆動装置は、無端の走行体と、この無端の走行体が巻き付けられた滑車と、この滑車の回転を減速して回転軸に出力すると共に少なくともスラット、第一及び第二のリンク列並びにスラット支持部材の自重によっては回転軸を回転させないようにする一方、無端の走行体の走行による滑車の回転を許容する程度の制動を回転軸に与える減速兼制動機構とを具備している請求項１４に記載のブラインド装置。
【請求項１６】
上下移動機構により複数のスラットの夫々が上方向に移動される際に、最下位のスラットの上方向の移動を抑止する抑止機構を具備している請求項１から１５のいずれか一項に記載のブラインド装置。
【請求項１７】
抑止機構は、一端で最下位のスラット支持部材に回動自在に連結された一のリンク部材と、一端で一のリンク部材の他端に回動自在に連結され且つ他端で回動自在であって上下方向に不動となっている他の一のリンク部材とを具備しており、一のリンク部材及び他の一のリンク部材は、これらリンク部材の夫々の回動により最下位のスラット支持部材を介して最下位のスラット並びに第一及び第二のリンク列の夫々の下端部が一定の範囲内で上下変位可能となるように、配されている請求項１６に記載のブラインド装置。
【請求項１８】
抑止機構は、最下位のスラット支持部材を介して最下位のスラット並びに第一及び第二のリンク列の夫々の下端部が一定の範囲内で上下変位可能となるように、一端ではスラット支持部材に連結しており、他端では上下方向に不動となっている弾性部材を具備している請求項１６又は１７に記載のブラインド装置。
【請求項１９】
抑止機構の弾性部材は、コイルばねからなる請求項１８に記載のブラインド装置。
【発明の詳細な説明】
【０００１】
【発明の属する技術分野】
本発明は、戸建住宅又は集合住宅等の建物の窓等に配置し、必要に応じてこれら窓等の目隠し、遮蔽をするブラインド装置に関する。
【０００２】
【発明が解決しようとする課題】
この種のブラインド装置の一の例は、特開２００２−７０４５０号において開示したような、一対の縦枠間に配された複数のスラットと、複数のスラットの夫々の端部を支持する複数の支持アームと、複数の支持アームの両端部の夫々に回動自在に連結する互いに対向して配された第一及び第二の縦リンク列と、最上位の支持アームの略中央部に回動自在に連結しており、縦枠に設けられたスリットを規定する壁面に案内される上下移動自在な上下移動部材と、上下移動部材を上下方向に移動させる上下移動機構と、この上下移動機構による上下移動部材の上下方向の移動に起因してスラットを傾動させるチルト機構とを具備しており、チルト機構は、最上位の支持アームに一の方向の回動力を与えるように、一端で上下移動部材に連結し且つ他端で最上位の支持アームの一端に連結しているコイルばねと、このコイルばねの一の方向の回動力に抗して最上位の支持アームを逆の方向に強制的に回動させるカム機構とを具備しており、カム機構は、最上位の支持アームの一端に回転自在に設けられたカムローラと、上下移動部材が上方向に移動した際にカムローラに当接するように縦枠に設けられた当接面とを具備している。
【０００３】
ところで、上述のようなブラインド装置のチルト機構は、コイルばねの弾性力により最上位の支持アームに一の方向の回動力を与えることで、第一及び第二の縦リンク列並びに複数の支持アームを介して複数のスラットの夫々を閉鎖位置から開放位置まで傾動させるようになっており、また、上下移動機構により上下移動部材の上方向の移動に際して、カムローラを当接面に当接させて最上位の支持アームの一端における上方向の移動を抑止することによってコイルばねによる一の方向の回動力に抗して最上位の支持アームを逆の方向に強制的に回動させることで、第一及び第二の縦リンク列並びに支持アームを介して複数のスラットの夫々を開放位置から閉鎖位置まで傾動させるようになっている。
【０００４】
しかしながら、斯かるブラインド装置のチルト機構は、上下移動機構による上下移動部材の上方向の移動に際してカムローラを当接面に当接させ、この当接により最上位の支持アームの一端における上方向の移動を抑止することでコイルばねによる一の方向の回動力に抗して最上位の支持アームを逆の方向に強制的に回動させるようになっているため、最上位の支持アームを、その一端を回動軸心として回動させることとなり、斯かるチルト機構によって複数のスラットの夫々を開放位置から閉鎖位置まで、また、閉鎖位置から開放位置まで傾動させるためには、上下移動部材の上下移動量を大きくとる必要が生じる。従って、当該チルト機構では、上下移動部材を介してスラットを大きく上下移動させなければならず、而して、窓等を閉口状態にするために複数のスラットの夫々を閉鎖位置に配すると、最下位のスラットと縦枠の底壁との間で大きく開口してしまい、窓等の良好な閉口状態を得ることができない。
【０００５】
更に、斯かるブラインド装置のチルト機構は、コイルばねの弾性伸縮力によって複数のスラットの夫々の傾動状態を維持するようになっているため、風等の影響によりスラットが傾動してしまい、安定した窓等の開口及び閉口状態を得ることが困難である。
【０００６】
また、この種のブラインド装置の他の一の例は、特開２００１−１７３３４１号公報に記載のように、一対の縦枠間に配された複数のスラットと、複数のスラットの夫々の端部を支持する複数の支持アームと、複数の支持アームの両端の夫々に回動自在に連結する互いに対向して配された第一及び第二の縦リンク列と、最上位の支持アームに固定されており、縦枠に設けられた縦方向に伸びるスリットを規定する壁面に案内されて上下移動自在となっている上下移動部材と、この上下移動部材に繰り出し端が固着されているベルトを有しており、このベルトを巻き上げ又は繰り出すことで上下移動部材を上下方向に移動させる上下移動機構と、この上下移動機構による上下移動部材の上下方向の移動に起因してスラットを傾動させるチルト機構とを具備しており、チルト機構は、カムローラと、このカムローラを案内する案内面とを具備している。
【０００７】
ところで、上述のようなブラインド装置は、上下移動機構によるベルトの巻き上げによって上下移動部材に上方向の移動力を与えて上下移動部材をスリットに沿って上方向に移動させ、当該上下移動部材の上方向の移動に際し、カムローラを案内面に案内させてチルトアームの上方向の移動を抑止することによって、当該チルトアームを、カムローラを中心として回動させると共にチルトアームに固定された最上位の支持アーム等を介して複数のスラットの夫々を傾動させるようになっている。
【０００８】
しかしながら、斯かるブラインド装置は、カムローラを中心とするチルトアームの回動と一対一に対応して支持アームが回動されるようになっているため、閉口状態にするためには上下移動部材の上方向の移動量を大きくとる必要が生じる。従って、当該ブラインド装置では、上下移動部材を介してスラットを大きく上下移動させなければならず、而して、窓等を閉口状態にするために複数のスラットの夫々を閉鎖位置に配すると、最下位のスラットと縦枠の底壁との間で大きく開口してしまい、窓等の良好な閉口状態を得ることができない。
【０００９】
更に、斯かるブラインド装置は、開口状態への移行において、チルト部材を支持アームの中心で回動させることから、案内面によって規定される溝部を上枠外装内に収納等をすることが困難である。
【００１０】
本発明は、前記諸点に鑑みてなされたものであって、その目的とするところは、複数のスラットの夫々を傾動させる為に必要な複数のスラットの夫々の上下移動量を減らして窓等の良好な閉口状態を得ることができ、複数のスラットの夫々の傾動状態を強固に支持してこれらの開放、閉口状態を安定させることができ、更に、チルト機構のカムを案内する案内面によって規定される溝部等を上枠外装内等に納めることが容易に行えるブラインド装置を提供することにある。
【００１１】
【課題を解決するための手段】
本発明の第一の態様のブラインド装置は、上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及びスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介してスラット支持部材の一端を押し下げ又は引き上げることで、最上位のスラット並びに当該スラットに第一及び第二のリンク列を介して連なるスラットを傾動させるようになっており、第一から第四の連結部の夫々は、第二の連結部から第三の連結部までの長さが、第一の連結部から第四の連結部までの長さよりも長くなるように、配されている。
【００１２】
本発明のブラインド装置によれば、チルト機構が、回動機構によってチルト部材が第二の連結部を軸心として回動されることによって第三の連結部を旋回移動させ、当該第三の連結部の旋回移動によって連結部材を介してスラット支持部材の一端を押し下げ又は引き上げることで、スラットを傾動させるようになっているため、複数のスラットの夫々を傾動させる為に必要な複数のスラットの夫々の上下移動量を減らして窓等の良好な閉口状態を得ることができる。
【００１３】
また、斯かる本発明の第一の態様のブラインド装置によれば、チルト部材の回動に対して、スラット支持部材を第一の連結部を軸心として大きく回動させることができ、而して、複数のスラットの夫々を開放位置又は閉口位置に配するために必要な上下動部材の上下移動量を減らすことができる。尚、本発明の他の態様ではこれに限定されず、例えば、第一から第四の連結部の夫々は、第二の連結部から第三の連結部までの長さと、第一の連結部から第四の連結部までの長さとが同一となるように配されていてもよい。
【００１４】
本発明の第二の態様のブラインド装置は、上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及び最上位のスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介して最上位のスラット支持部材の一端を押し下げ又は引き上げることで、最上位のスラット並びに当該スラットに第一及び第二のリンク列を介して連なるスラットを傾動させるようになっており、連結部材は、第三の連結部が長手方向の一端部に配されており、第四の連結部が長手方向の他端部に配されており、第三の連結部が旋回移動することによって生じる下方向への押し下げ力又は上方向への引き上げ力を第四の連結部を介してスラット支持部材の一端に与えるようになっている板状長尺体からなっている。
【００１５】
本発明の第三の態様のブラインド装置は、上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及び最上位のスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介して最上位のスラット支持部材の一端を押し下げ又は引き上げることで、最上位のスラット並びに当該スラットに第一及び第二のリンク列を介して連なるスラットを傾動させるようになっており、回動機構は、チルト部材に設けられているカムと、このカムを案内するカム案内面とを具備しており、カム案内面は、上下移動部材の上方向の移動と共に、チルト部材を一の方向に回動させるように、且つ、上下移動部材の下方向の移動と共に、チルト部材を他の一の方向に回動させるように、カムを案内するようになっており、カム案内面は、上下方向に対して交差する交差方向に伸びた交差面と、カムの移動方向を上方向から交差方向に又は交差方向から下方向に移行させながら、カムを案内するＬ状又はＶ状の移行案内面とを具備しており、移行案内面は、曲面又は平面からなる。
【００１６】
本発明の第四の態様のブラインド装置は、上下方向で伸張及び折り畳み自在な第一のリンク列と、第一のリンク列に並置されており、上下方向で伸張及び折り畳み自在な第二のリンク列と、一端で第一のリンク列に回動自在に連結し且つ他端で第二のリンク列に回動自在に連結している複数のスラット支持部材と、複数のスラット支持部材の夫々に支持された複数のスラットと、スラット支持部材を上下方向に移動させる上下移動機構と、上下移動機構によりスラット支持部材が上方向又は下方向に移動される際に、スラットを傾動させるチルト機構と、スラット支持部材の上下方向の移動を案内する上下方向案内面とを具備しており、チルト機構は、最上位のスラット支持部材に回動自在に連結している第一の連結部を下端側に有していると共に上下方向に移動自在であって、上下方向案内面により上下方向の移動が案内されるようになっている上下移動部材と、この上下移動部材の上端側に回動自在に連結している第二の連結部を有しているチルト部材と、第二の連結部から所定距離離れたところでチルト部材に連結している第三の連結部及び最上位のスラット支持部材の一端側に連結している第四の連結部を有している連結部材と、上下移動部材の上下方向の移動に起因してチルト部材を回動させる回動機構とを具備しており、チルト機構は、回動機構によってチルト部材が第二の連結部を軸心として回動されることによって第三の連結部を旋回移動させ、当該第三の連結部の旋回移動によって連結部材を介して最上位のスラット支持部材の一端を押し下げ又は引き上げることで、最上位のスラット並びに当該スラットに第一及び第二のリンク列を介して連なるスラットを傾動させるようになっており、回動機構は、チルト部材に設けられているカムと、このカムを案内するカム案内面とを具備しており、カム案内面は、上下移動部材の上方向の移動と共に、チルト部材を一の方向に回動させるように、且つ、上下移動部材の下方向の移動と共に、チルト部材を他の一の方向に回動させるように、カムを案内するようになっており、チルト部材は、一端で第三の連結部に連結している長尺体と、この長尺体の長手方向に対して交差する方向に伸びており、一端部に回動機構のカムを設け且つ他端部に第二の連結部を配しているカム設置体とを具備しており、長尺体とカム設置体とは、互いに一体的に結合している。
【００１７】
本発明の第五の態様のブラインド装置では、第四の態様のブラインド装置において、カム設置体は、その一端部及び他端部の間の中間の部位で、長尺体の他端側と結合している。
【００１８】
本発明の第六の態様のブラインド装置では、第一又は第二の態様のブラインド装置において、回動機構は、チルト部材に設けられているカムと、このカムを案内するカム案内面とを具備しており、カム案内面は、上下移動部材の上方向の移動と共に、チルト部材を一の方向に回動させるように、且つ、上下移動部材の下方向の移動と共に、チルト部材を他の一の方向に回動させるように、カムを案内するようになっている。第六の態様のブラインド装置によれば、複数のスラットの夫々の傾動状態を強固に支持してこれらの開放、閉口状態を安定させることができる。
【００１９】
本発明の第七の態様のブラインド装置では、第四から第六のうちのいずれかの態様のブラインド装置において、カム案内面は、上下方向に対して交差する交差方向に伸びた交差面と、カムの移動方向を上方向から交差方向に又は交差方向から下方向に移行させながら、カムを案内するＬ状又はＶ状の移行案内面とを具備している。
【００２０】
本発明の第八の態様のブラインド装置では、第三から第七のうちのいずれかの態様のブラインド装置において、カムは、チルト部材に回転自在に設けられた回転体からなり、この回転体はカム案内面を走行するようになっている。
【００２１】
本発明の第九の態様のブラインド装置では、第三から第八のうちのいずれかの態様のブラインド装置において、カム案内面は、上下方向案内面に連続して配されており、カムは、上下方向案内面によっても案内されるようになっており、当該カムが上下方向案内面に案内される際に、チルト部材の上端に位置するようにチルト部材に設けられている。
【００２２】
本発明の第十の態様のブラインド装置では、第一から九のうちのいずれかの態様のブラインド装置において、チルト機構は、第二の連結部を中心とした一の方向の回動力をチルト部材に弾性的に与えるべく、上下移動部及び最上位のスラット支持部材の一旦に連結している弾性部材を具備している。
【００２３】
本発明の第十一の態様のブラインド装置においては、第十の態様のブラインド装置において、弾性部材は、チルト部材が一の方向に回動することによって短縮されるように、一端で上下移動部材に連結し且つ他端で最上位のスラット支持部材の一端に連結しているコイルばねからなる。
【００２４】
本発明の第十二の態様のブラインド装置においては、第一から第十一のうちのいずれかの態様のブラインド装置において、上下移動部材は、板状の本体と、この板状の本体に設けられており、上下方向で並んで配された二個の突起とを具備しており、二個の突起は、上下方向案内面によって規定されてなる上下方向に伸びたスリットに挿通されている。
【００２５】
本発明の第十三の態様のブラインド装置においては、第一から第十二のうちのいずれかの態様のブラインド装置において、第一の連結部は、最上位のスラット支持部材の一端及び他端の間の中間の部位に連結している。
【００２６】
本発明の第十四の態様のブラインド装置では、第一から第十三のうちのいずれかの態様のブラインド装置において、上下移動機構は、回転軸と、この回転軸に固定されたプーリと、このプーリに巻き付けられた可撓性のベルトと、このベルトの巻き取り又は繰り出しを行うべく、プーリを回転させる回転駆動装置とを具備しており、ベルトの繰り出し端は、上下移動部材に固着されている。斯かる第十四の態様のブラインド装置においては、本発明の第十五の態様のブラインド装置のように、回転駆動装置は、無端の走行体と、この無端の走行体が巻き付けられた滑車と、この滑車の回転を減速して回転軸に出力すると共に少なくともスラット、第一及び第二のリンク列並びにスラット支持部材の自重によっては回転軸を回転させないようにする一方、無端の走行体の走行による滑車の回転を許容する程度の制動を回転軸に与える減速兼制動機構とを具備していてもよい。
【００２７】
本発明の第十六の態様のブラインド装置では、第一から第十五のうちのいずれかの態様のブラインド装置において、上下移動機構により複数のスラットの夫々が上方向に移動される際に、最下位のスラットの上方向の移動を抑止する抑止機構を具備している。第十六の態様のブラインド装置においては、本発明の第十七の態様のブラインド装置のように、一端で最下位のスラット支持部材に回動自在に連結された一のリンク部材と、一端で一のリンク部材の他端に回動自在に連結され且つ他端で回動自在であって上下方向に不動となっている他の一のリンク部材とを具備しており、ここで一のリンク部材及び他の一のリンク部材は、これらリンク部材の夫々の回動により最下位のスラット支持部材を介して最下位のスラット並びに第一及び第二のリンク列の夫々の下端部が一定の範囲内で上下変位可能となるように、配されていてもよく、また、当該抑止機構は、本発明の第十八の態様のブラインド装置のように、最下位のスラット支持部材を介して最下位のスラット並びに第一及び第二のリンク列の夫々の下端部が一定の範囲内で上下変位可能となるように、一端ではスラット支持部材に連結しており、他端では上下方向に不動となっている弾性部材を具備していてもよく、ここで弾性部材は、本発明の第十九の態様のブラインド装置のように、コイルばねからなっていてもよい。
【００２８】
次に本発明を、図に示す実施の形態の好ましい例を参照して更に詳細に説明する。なお、本発明はこれら例に何等限定されないのである。
【００２９】
【発明の実施の形態】
図１から図８において、本例のブラインド装置１は、上下方向であるＸ方向で伸張及び折り畳み自在なリンク列２と、リンク列２に並置されており、Ｘ方向で伸張及び折り畳み自在なリンク列３と、一端４でリンク列２に連結し且つ他端５でリンク列３に連結している複数のスラット支持部材６と、複数のスラット支持部材６の夫々に支持された複数のスラット７と、スラット支持部材６をＸ方向に移動させる上下移動機構８と、上下移動機構８によりスラット支持部材６が上方向であるＸ１方向又は下方向であるＸ２方向に移動される際に、最上位のスラット支持部材６の一端４を押し下げ又は引き上げることで、スラット７を傾動させるチルト機構９と、スラット支持部材６のＸ方向の移動を案内する上下方向案内面１０と、建物の開口部１５を規定するように配設された縦枠１００及び１０１と、縦枠１００及び１０１を橋絡している上枠１０２及び上部カバー１０３と、上下移動機構８により複数のスラット７の夫々が複数のスラット支持部材６を介してＸ１方向に移動する際に、最下位のスラット７のＸ１方向の移動を抑止する抑止機構２００とを具備している。
【００３０】
縦枠１００及び１０１は、互いに対向するように配されている。縦枠１００には、リンク列２及び３と、複数のスラット支持部材６と、チルト機構９と、上下方向案内面１０と、抑止機構２００とが設けられている。尚、縦枠１０１には、リンク列２及び３、複数のスラット支持部材６、チルト機構９、上下方向案内面１０並びに抑止機構２００と同様に構成された第一及び第二のリンク列、複数のスラット支持部材、チルト機構、上下方向案内面並びに抑止機構が設けられている。従って、以下、縦枠１００側の、リンク列２及び３、複数のスラット支持部材６、チルト機構９、上下方向案内面１０並びに抑止機構２００について主に説明し、縦枠１０１側の、第一及び第二のリンク列、複数のスラット支持部材、チルト機構、上下方向案内面並びに抑止機構については必要に応じて図に符号ａを付してその説明を省略する。
【００３１】
リンク列２は、複数のリンク部材２０が軸ピン２１を介して互いに回動自在に直列に連結されてなる。リンク列２に並設されたリンク列３は、複数のリンク部材２３が軸ピン２４を介して互いに回動自在に直列に連結されてなる。
【００３２】
リンク列２及び３の夫々は、上下移動機構８によりスラット７がＸ１方向に移動する際に、リンク部材２０及び２３の夫々が軸ピン２１及び２４の夫々を軸心として回動することによって、Ｘ方向に伸張するようになっている。また、リンク列２及び３の夫々は、上下移動機構８によりスラット７がＸ２方向に移動する際に、リンク部材２０及び２３の夫々が軸ピン２１及び２４の夫々を軸心として回動することによって、折り畳めるようになっている。尚、リンク部材２０及び２３には、リンク列２及び３の折り畳み方向を規定すべく、阻止片（図示せず）が一体的に設けられている。
【００３３】
スラット支持部材６は、長尺板状の本体部２５と、スラット７の長手方向における端部２６を取り付けている取付部２７と、一端では本体部２５に、他端では取付部２７に夫々一体的に固着されている軸部２８とを具備している。本体部２５の夫々の一端４は、一個おきの軸ピン２１を介してリンク列２に回動自在に連結されている。本体部２５の夫々の他端５は、一個おきの軸ピン２４を介してリンク列３に回動自在に連結されている。取付部２７は、軸部２８を介して本体部２５の一端４及び他端５の間の中間の部位に固定されている。尚、最上位のスラット支持部材６の軸部２８は、上下移動部材１１の下端の連結部Ｐ１まで伸びており、上下移動部材１１は、連結部Ｐ１において軸部２８にＲ７方向及びＲ８方向に相対的に回動自在となるように連結されており、而して、最上位のスラット支持部材６は、上下移動部材１１の連結部Ｐ１に対して軸部２８を軸心としてＲ７及びＲ８方向に回動自在となっている。
【００３４】
スラット７の夫々は、開口部１５を閉鎖した際に外部に露出される大樋状部３０と、開口部１５を閉鎖した際に大樋状部３０の下線側に重合される小樋状部３１とを一体的に有している。大樋状部３０の一端には、シール３２が嵌装されている。複数のスラット７は、縦枠１００及び１０１間でＸ方向に互いに並置されている。尚、スラット７の夫々は、スラット支持部材６の夫々が回動することによって、傾動するように夫々の取付部２７に取り付けられている。
【００３５】
上下移動機構８は、縦枠１００に軸４０を介して回転自在に支持された転向ローラ４１と、縦枠１００及び１０１を橋絡し、且つ、両端で縦枠１００及び１０１に回転自在に支持されていると共にスラット７の長手方向と同一の方向に伸びた回転軸４２と、回転軸４２の一端に固定されたプーリ４３と、プーリ４３に巻き付けられた可撓性の金属ベルト４４と、金属ベルト４４の巻き取り又は繰り出しを行うべく、プーリ４３を回転させる回転駆動装置４５とを具備している。
【００３６】
金属ベルト４４は、一端である繰り出し端４６が上下移動部材１１に固着され、且つ、他端がプーリ４３に連結されていると共に、転向ローラ４１に掛け回されている。
【００３７】
回転駆動装置４５は、回転軸４２が回転自在に貫通しており、縦枠１００に支持されているハウジング５０と、無端の走行体としての玉チェーン５１と、ハウジング５０及び縦枠１００に回転自在に支持された軸５２と、玉チェーン５１が巻き付けられ、且つ、軸５２に固着された滑車５３と、ハウジング５０内に配されており、滑車５３の回転による軸５２の回転を減速して回転軸４２に出力すると共にスラット７等の自重によっては回転軸４２を回転させないようにする一方、玉チェーン５１の走行による滑車５３の回転を許容する程度の制動を回転軸４２又は軸５２に与える減速兼制動機構５４とを具備している。尚、玉チェーン５１は、その垂れ下がり部５５及び５６の引き下げによって走行し、案内筒３００に案内されて滑車５３を回転させるようになっている。
【００３８】
回転駆動装置４５によれば、玉チェーン５１の一方の垂れ下がり部５５を手動により下方に引き下げて、滑車５３を回転させることにより、軸５２及び減速兼制動機構５４を介して回転軸４２を減速してＲ３方向に回転させ、回転軸４２のＲ３方向の回転により、金属ベルト４４の巻き取り方向にプーリ４３（縦枠１０１側のプーリも同様）を回転させることができる。また、回転駆動装置４５によれば、玉チェーン５１の他方の垂れ下がり部５６を手動により下方に引き下げて、滑車５３を回転させることにより、軸５２及び減速兼制動機構５４を介して回転軸４２を減速してＲ４方向に回転させ、回転軸４２のＲ４方向の回転により、前記と逆の金属ベルト４４の繰り出し方向にプーリ４３を回転させることができる。
【００３９】
以上の上下移動機構８は、玉チェーン５１の垂れ下がり部５５の引き下げでプーリ４３を金属ベルト４４の巻き取り方向に回転させて、これにより上下移動部材１１等を介してスラット７をＸ１方向に引き上げて、夫々のスラット７を図１１、図２及び図９の状態を介して図１０に示す閉鎖位置に配するようになっており、また、玉チェーン５１の垂れ下がり部５６の引き下げでプーリ４３を金属ベルト４４の繰り出し方向に回転させて、これによりリンク列２及び３のＸ２方向への移動を許容して、夫々のスラット７を図１０、図９及び図２の状態を介して図１１に示す開放位置に配するようなっている。
【００４０】
チルト機構９は、スラット支持部材６に回動自在に連結している連結部Ｐ１を下端側に有しているＸ方向に移動自在な上下移動部材１１と、上下移動部材１１の上端側に回動自在に連結している連結部Ｐ２を有しているチルト部材１２と、連結部Ｐ２から所定距離離れたところでチルト部材１２に連結している連結部Ｐ３及びスラット支持部材６の一端４側に連結している連結部Ｐ４を有している連結部材１３と、上下移動部材１１のＸ方向の移動に起因してチルト部材１２を回動させる回動機構１４とを具備している。
【００４１】
上下移動部材１１は、板状の本体６０と、本体６０に一体的に設けられており、フランジ５９付の突起６１とを具備しており、突起６１は、上下方向案内面１０によって規定されてなると共にＸ方向に伸びて縦枠１００の側板に形成されたスリット６２に挿通されている。連結部Ｐ１は、軸部２８を介して最上位のスラット支持部材６の本体部２５の一端４及び他端５の間の中間の部位に連結している。具体的には、連結部Ｐ１は、最上位のスラット支持部材６の本体部２５の一端４から連結部Ｐ１までの長さと、最上位の本体部２５の他端５から連結部Ｐ１までの長さとが実質的に同一の長さとなるように、最上位のスラット支持部材６に連結している。連結部Ｐ１は、最上位のスラット７の回動軸心の軸心線上に位置している。
【００４２】
板状の本体６０は、スリット６２に挿通された突起６１及びもう一つの突起としての軸部２８と、上下方向案内面１０とによって、そのＸ方向への移動が案内されると共にその回動が規制されている。突起６１は、上下方向案内面１０に対して摺動自在となっている。尚、突起６１に一体的に設けられているフランジ５９は、スリット６２から突起６１が抜け出るのを防止している。
【００４３】
チルト部材１２は、一端で連結部材１３の連結部Ｐ３に軸ピン１０６を介して回動自在に連結している長尺体６５と、長尺体６５の長手方向に対して交差する方向に伸びており、一端部Ｐ５にカムローラ８５を設け且つ他端部に連結部Ｐ２を有しているカム設置体６６とを具備しており、長尺体６５とカム設置体６６とは、互いに一体的に結合している。カム設置体６６は、その一端部Ｐ５及び他端部の間の中間の部位で、長尺体６５の他端側と結合している。
【００４４】
連結部Ｐ２は、軸ピン１０５を介して板状の本体６０の上端側に回動自在に連結している。連結部Ｐ２の中心、換言すれば軸ピン１０５の中心は、上下移動部材１１がＸ１方向に移動する際、上下移動部材１１によってチルト部材１２に回転モーメントが与えられるように、カムローラ８５の中心を通る鉛直線に対してスラット支持部材６の他端５側に偏った位置に、配されている。
【００４５】
連結部材１３は、連結部Ｐ３が長手方向の一端部に配されており、連結部Ｐ４が長手方向の他端部に配されており、連結部Ｐ３が旋回移動することによって生じるＸ２方向への押し下げ力又はＸ１方向への引き上げ力を連結部Ｐ４及び軸ピン２１を介してスラット支持部材６の一端４に与えるようになっている板状長尺体からなっている。
【００４６】
連結部Ｐ３は、軸ピン１０６を介してチルト部材１２の長尺体６５の一端に回動自在に連結している。連結部Ｐ４は、軸ピン２１を介して最上位のスラット支持部材６の本体部２５の一端４に回動自在に連結している。
【００４７】
連結部Ｐ１、Ｐ２、Ｐ３及びＰ４の夫々は、連結部Ｐ２から連結部Ｐ３までの長さＬ１が、連結部Ｐ１から連結部Ｐ４までの長さＬ２よりも長くなるように、配されている。これにより、連結部Ｐ２における軸ピン１０５を軸心として旋回移動する連結部Ｐ３の旋回半径は、連結部Ｐ１における軸部２８を軸心として旋回移動する連結部Ｐ４の旋回半径よりも長くなる。従って、チルト機構９は、チルト部材１２がＲ１又はＲ２方向に回動する際に、スラット支持部材６を、チルト部材１２の連結部Ｐ２における軸ピン１０５を軸心とする回動量よりも大きい回動量をもって、連結部Ｐ１における軸部２８を軸心としてＲ７又はＲ８方向に回動させるようになっている。
【００４８】
回動機構１４は、チルト部材１２に回転自在に設けられているカムとしてのカムローラ８５と、カムローラ８５を案内するカム案内面８６とを具備しており、カム案内面８６は、図９及び図１０に示すように、上下移動部材１１のＸ１方向の移動と共に、チルト部材１２をＲ１方向に回動させるように、且つ、上下移動部材１１のＸ２方向の移動と共に、チルト部材１２をＲ２方向に回動させるように、カムローラ８５を案内するようになっている。
【００４９】
カム案内面８６は、上下方向案内面１０の上端面に連続して縦枠１００の側板に形成されており、カムローラ８５は、上下方向案内面１０によっても案内されるようになっている。カムローラ８５は、上下方向案内面１０にＸ方向に案内される際に、チルト部材１２の上端に位置するように、チルト部材１２に設けられている。カム案内面８６で規定されると共にスリット６２に連通したスリット１０７は、カムローラ８５が連通し得る切欠き１０４を一端に有する上部カバー１０３よりも上方に配されて、上部カバー１０３により外部から見えないようになっている。
【００５０】
カム案内面８６は、Ｘ方向に対して交差する交差方向に伸びた交差面９０と、カムローラ８５の移動方向をＸ１方向から交差方向に又は交差方向からＸ２方向に移行させながら、カムローラ８５を案内するＬ状の移行案内面９１とを具備している。移行案内面９１は、曲面からなり、上下方向案内面１０の上端面に連続して配されている。カム案内面８６は、本例では、Ｌ状であって曲面からなる移行案内面９１を具備しているが、これに代えて、Ｖ状であって曲面若しくは平面からなる移行案内面、又は、Ｌ状であって平面からなる移行案内面を具備していてもよい。
【００５１】
以上のように、チルト機構９は、回動機構１４によってチルト部材１２が連結部Ｐ２を軸心としてＲ１及びＲ２方向に回動されることによって連結部Ｐ３を旋回移動させ、連結部Ｐ３の旋回移動によって連結部材１３を介してスラット支持部材６の一端４を押し下げ又は引き上げることで、スラット７を傾動させるようになっている。
【００５２】
抑止機構２００は、一端で最下位のスラット支持部材６に軸ピン（図示せず）を介して回動自在に連結されたリンク部材２０１と、一端でリンク部材２０１の他端に軸ピン２０２を介して回動自在に連結されたリンク部材２０３と、リンク部材２０３の他端が軸ピン２０４を介して回動自在に連結されていると共に縦枠１００の底壁２０５に固着されている基部材２０６とを具備しており、こうしてリンク部材２０３は、その他端で回動自在であって上下方向に不動となっている。斯かる抑止機構２００は、最下位のスラット支持部材６を介して最下位のスラット７のＸ１方向の移動を抑止するようになっている。抑止機構２００は、最下位のスラット支持部材６及びリンク列２及び３の下端部が一定の範囲内で上下変位可能となるように、スラット支持部材６を底壁２０５に連結している。尚、抑止機構２００は、最下位のスラット支持部材６を介してリンク列２及び３を縦枠１００の底壁２０５に連結している。
【００５３】
抑止機構２００は、リンク部材２０１及び２０３に代えて、又は、リンク部材２０１及び２０３に加えて、最下位のスラット支持部材６及び底壁２０５に連結しており、最下位のスラット支持部材６を介して最下位のスラット７並びにリンク列２及び３の夫々の下端部が一定の範囲内で上下変位可能となるようにすると共に、リンク列２及び３が伸張した場合にリンク列２及び３を全体的にＸ２方向に弾性的に引っ張るように設けられた弾性部材（図示せず）を具備していてもよく、この弾性部材は、伸縮自在なコイルばねからなっていてもよい。
【００５４】
尚、本例のブラインド装置１は、図１２に示すように、チルト機構９に代えて、上下移動部材１１、チルト部材１２、連結部材１３及び回動機構１４と同様に構成された上下移動部材２１１、チルト部材２１２、連結部材２１３及び回動機構２１４と、上下移動部材２１１及び最上位のスラット支持部材６の一端４に連結している弾性部材２１５とを具備しているチルト機構２１６を具備していてもよく、弾性部材２１５は、コイルばね２１７からなり、コイルばね２１７は、チルト部材２１２がＲ１方向に回動することによって伸張されるように、一端２１８でブラケット２１９を介して上下移動部材２１１に連結し且つ他端２２０で最上位のスラット支持部材６の一端４に連結している。斯かるコイルばね２１７を配することにより、チルト部材２１２における図１０に示す回動状態から図２に示す回動状態への移行を、その縮み弾性力により容易に行わせることができる。
【００５５】
また、本例のブラインド装置１は、連結部Ｐ１、Ｐ２、Ｐ３及びＰ４の夫々が、連結部Ｐ２から連結部Ｐ３までの長さＬ１が、連結部Ｐ１から連結部Ｐ４までの長さＬ２よりも長くなるように、配されているチルト機構９を具備しているが、これに代えて、連結部Ｐ１、Ｐ２、Ｐ３及びＰ４の夫々が、連結部Ｐ２から連結部Ｐ３までの長さと、連結部Ｐ１から連結部Ｐ４までの長さとが同一となるように、配されているチルト機構を具備していてもよい。
【００５６】
更に、本例のブラインド装置１は、ベルト４４及びプーリ４３を有する上下移動機構８に代えて、上下移動部材１１に連結したチェーンと、このチェーンと噛み合ったスプロケットとを有しており、当該スプロケットを回転させることによりチェーンを走行させることで、移動部材１１等を介してスラット７をＸ１方向に引き上げ、または、スラット７のＸ２方向への移動を許容する上下移動機構を具備していてもよい。
【００５７】
【発明の効果】
本発明によれば、複数のスラットの夫々を傾動させる為に必要な複数のスラットの夫々の上下移動量を減らして窓等の良好な閉口状態を得ることができ、複数のスラットの夫々の傾動状態を強固に支持してこれらの開放、閉鎖状態を安定させることができ、更に、チルト機構のカムを案内する案内面によって規定される溝部等を上枠外装内等に納めることが容易に行えるブラインド装置を提供し得る。
【図面の簡単な説明】
【図１】本発明のブラインド装置の好ましい一例の斜視図である。
【図２】図１に示す一例の縦枠の断面説明図である。
【図３】図１に示す一例の主にチルト機構の説明図である。
【図４】図１に示す一例の縦枠の一部断面説明図である。
【図５】図１に示す一例の平面説明図である。
【図６】図１に示す一例の主に上下移動機構の説明図である。
【図７】図１に示す一例の主にチルト機構の一部省略平面説明図である。
【図８】図１に示す一例の主にチルト機構の一部省略平面説明図である。
【図９】図１に示す一例の縦枠の断面動作説明図である。
【図１０】図１に示す一例の縦枠の断面動作説明図である。
【図１１】図１に示す一例の動作説明図である。
【図１２】図２に示すチルト機構に代えて、弾性部材を具備するチルト機構を具備する図１に示す一例の縦枠の断面説明図である。
【符号の説明】
１  ブラインド装置
２、３  リンク列
６  スラット支持部材
７  スラット
８  上下移動機構
９、２１６  チルト機構
１０  上下方向案内面
Ｐ１、Ｐ２、Ｐ３、Ｐ４  連結部
１１、２１１  上下移動部材
１２、２１２  チルト部材
１３、２１３  連結部材
１４、２１４  回動機構
１００、１０１  縦枠
２００  抑止機構
【図１】
0003900988.tif 000002
【図２】
0003900988.tif 000003
【図３】
0003900988.tif 000004
【図４】
0003900988.tif 000005
【図５】
0003900988.tif 000006
【図６】
0003900988.tif 000007
【図７】
0003900988.tif 000008
【図８】
0003900988.tif 000009
【図９】
0003900988.tif 000010
【図１０】
0003900988.tif 000011
【図１１】
0003900988.tif 000012
【図１２】
0003900988.tif 000013